【手続補正書】
【提出日】平成18年11月27日(2006.11.27)
【手続補正１】
【補正対象書類名】明細書
【補正対象項目名】発明の名称
【補正方法】変更
【補正の内容】
【発明の名称】遊技用システム
【手続補正２】
【補正対象書類名】明細書
【補正対象項目名】特許請求の範囲
【補正方法】変更
【補正の内容】
【特許請求の範囲】
【請求項１】  記録媒体を個々に識別するための記録媒体識別情報と遊技に使用可能な有価価値を特定可能な情報とが記録された記録媒体の前記記録媒体識別情報毎に分類して前記有価価値を格納する第１の有価価値分類格納手段を有し、複数の遊技場を統括して管理する遊技場統括管理コンピュータと、
各遊技場に設置され、前記記録媒体の前記記録媒体識別情報毎に分類して前記有価価値を格納する第２の有価価値分類格納手段を有する記録媒体管理コンピュータと、
各遊技場に設置され、前記記録媒体の記録情報から特定される有価価値を遊技に使用させるための処理を行なう第１の記録媒体処理装置と、
各遊技場に設置され、該遊技場に持ち込まれた記録媒体および該遊技場から持ち出される記録媒体を処理する第２の記録媒体処理装置と、
前記遊技場に持ち込まれた記録媒体が前記第２の記録媒体処理装置にて受け付けられたことに基づいて、該記録媒体の記録情報から特定される有価価値と、該記録媒体の記録媒体識別情報に対応付けて前記第１の有価価値格納手段に格納されている有価価値とを照合し、当該記録媒体が適正なものであるか否かを判別する照合判別手段と、を備える遊技用システムであって、
前記記録媒体管理コンピュータは、
前記遊技場から持ち出される記録媒体が前記第２の記録媒体処理装置にて受け付けられたことに基づいて、当該記録媒体の記録媒体識別情報に対応付けて前記第２の有価価値分類格納手段に格納している有価価値を前記遊技場統括管理コンピュータに送信するための持出時送信処理を行ない、
前記遊技場統括管理コンピュータは、
前記持出時送信処理により送信された有価価値を前記記録媒体の記録媒体識別情報に対応付けて前記第１の有価価値分類格納手段に格納する持出時格納処理を行ない、
前記遊技場に持ち込まれた記録媒体が前記第２の記録媒体処理装置にて受け付けられたことに基づいて、当該記録媒体の記録媒体識別情報に対応付けて前記第１の有価価値分類格納手段に格納している有価価値を前記記録媒体管理コンピュータに送信するための持込時送信処理を行ない、
前記記録媒体管理コンピュータは、
前記照合判別手段により前記記録媒体が適正であると判定されたことを条件として、前記持込時送信処理により送信された有価価値を前記記録媒体の記録媒体識別情報に対応付けて前記第２の有価価値分類格納手段に格納する持込時格納処理を行ない、
該持込時格納処理により格納されてから前記持出時送信処理により送信されるまでの間に、前記第１の記録媒体処理装置により遊技に使用された有価価値を前記第２の有価価値分類格納手段に格納している有価価値から減算更新することを特徴とする、遊技用システム。
【請求項２】  前記記録媒体管理コンピュータは、前記持出時送信処理により送信した有価価値を前記第２の有価価値分類格納手段から消去し、
前記遊技場統括管理コンピュータは、前記持込時送信処理により送信した有価価値を前記第１の有価価値分類格納手段から消去することを特徴とする、請求項１記載の遊技用システム。
【請求項３】  前記記録媒体管理コンピュータは、前記持出時送信処理により送信した有価価値が転送済みであることを特定可能な情報を前記第２の有価価値分類格納手段に格納し、
前記遊技場統括管理コンピュータは、前記持込時送信処理により送信した有価価値が転送済みであることを特定可能な情報を前記第１の有価価値分類格納手段に格納することを特徴とする、請求項１記載の遊技用システム。
【手続補正３】
【補正対象書類名】明細書
【補正対象項目名】０００１
【補正方法】変更
【補正の内容】
【０００１】
【発明の属する技術分野】
本発明は、たとえば、各遊技場に設置され、記録媒体の記録情報から特定される有価価値を遊技に使用させるための処理を行なう記録媒体処理装置を備える遊技用システムに関する。
【手続補正４】
【補正対象書類名】明細書
【補正対象項目名】０００２
【補正方法】変更
【補正の内容】
【０００２】
【従来の技術】
この種の遊技用システムにおいて、従来から一般的に知られているものに、たとえば、カード発行会社等の記録媒体発行機関からカード等の記録媒体が発行されて遊技場に納入され、その遊技場に設置された記録媒体販売装置から遊技者が記録媒体を購入して、その記録媒体の記録情報により特定される有価価値を使用して遊技機による遊技媒体を用いた遊技が可能となるように構成された遊技用システムがあった。
【手続補正５】
【補正対象書類名】明細書
【補正対象項目名】０００３
【補正方法】変更
【補正の内容】
【０００３】
またこの従来の遊技用システムは、遊技場に設置された記録媒体処理装置を含んでおり、遊技者が購入した前記記録媒体の記録情報がこの記録媒体処理装置によって読取られてその記録情報により特定される有価価値を使用して前記遊技機による遊技媒体を用いた遊技が可能となるように構成されていた。
【手続補正６】
【補正対象書類名】明細書
【補正対象項目名】０００４
【補正方法】変更
【補正の内容】
【０００４】
【発明が解決しようとする課題】
一方、この従来の遊技用システムにおいては、たとえば前記記録媒体販売装置から販売された記録媒体が多数コピー（デッドコピー）されて、全く同じ情報が記録された記録媒体が多数偽造された場合に、その偽造記録媒体が遊技使用されて損害が発生するという不都合があった。
【手続補正７】
【補正対象書類名】明細書
【補正対象項目名】０００８
【補正方法】変更
【補正の内容】
【０００８】
本発明は、係る実情に鑑み考え出されたものであり、その目的は、記録媒体の偽造による不正行為が極力防止できながらも、その不正防止のためのチェックに伴う遊技者の苛立ち感を極力軽減できる遊技用システムを提供することである。
【手続補正８】
【補正対象書類名】明細書
【補正対象項目名】０００９
【補正方法】変更
【補正の内容】
【０００９】
【課題を解決するための手段】
請求項１に記載の本発明は、記録媒体を個々に識別するための記録媒体識別情報と遊技に使用可能な有価価値を特定可能な情報とが記録された記録媒体の前記記録媒体識別情報毎に分類して前記有価価値を格納する第１の有価価値分類格納手段を有し、複数の遊技場を統括して管理する遊技場統括管理コンピュータと、
各遊技場に設置され、前記記録媒体の前記記録媒体識別情報毎に分類して前記有価価値を格納する第２の有価価値分類格納手段を有する記録媒体管理コンピュータと、
各遊技場に設置され、前記記録媒体の記録情報から特定される有価価値を遊技に使用させるための処理を行なう第１の記録媒体処理装置と、
各遊技場に設置され、該遊技場に持ち込まれた記録媒体および該遊技場から持ち出される記録媒体を処理する第２の記録媒体処理装置と、
前記遊技場に持ち込まれた記録媒体が前記第２の記録媒体処理装置にて受け付けられたことに基づいて、該記録媒体の記録情報から特定される有価価値と、該記録媒体の記録媒体識別情報に対応付けて前記第１の有価価値格納手段に格納されている有価価値とを照合し、当該記録媒体が適正なものであるか否かを判別する照合判別手段と、を備える遊技用システムであって、
前記記録媒体管理コンピュータは、
前記遊技場から持ち出される記録媒体が前記第２の記録媒体処理装置にて受け付けられたことに基づいて、当該記録媒体の記録媒体識別情報に対応付けて前記第２の有価価値分類格納手段に格納している有価価値を前記遊技場統括管理コンピュータに送信するための持出時送信処理を行ない、
前記遊技場統括管理コンピュータは、
前記持出時送信処理により送信された有価価値を前記記録媒体の記録媒体識別情報に対応付けて前記第１の有価価値分類格納手段に格納する持出時格納処理を行ない、
前記遊技場に持ち込まれた記録媒体が前記第２の記録媒体処理装置にて受け付けられたことに基づいて、当該記録媒体の記録媒体識別情報に対応付けて前記第１の有価価値分類格納手段に格納している有価価値を前記記録媒体管理コンピュータに送信するための持込時送信処理を行ない、
前記記録媒体管理コンピュータは、
前記照合判別手段により前記記録媒体が適正であると判定されたことを条件として、前記持込時送信処理により送信された有価価値を前記記録媒体の記録媒体識別情報に対応付けて前記第２の有価価値分類格納手段に格納する持込時格納処理を行ない、
該持込時格納処理により格納されてから前記持出時送信処理により送信されるまでの間に、前記第１の記録媒体処理装置により遊技に使用された有価価値を前記第２の有価価値分類格納手段に格納している有価価値から減算更新することを特徴とする。
【手続補正９】
【補正対象書類名】明細書
【補正対象項目名】００１０
【補正方法】変更
【補正の内容】
【００１０】
請求項２に記載の本発明は、請求項１に記載の発明の構成に加えて、前記記録媒体管理コンピュータは、前記持出時送信処理により送信した有価価値を前記第２の有価価値分類格納手段から消去し、
前記遊技場統括管理コンピュータは、前記持込時送信処理により送信した有価価値を前記第１の有価価値分類格納手段から消去することを特徴とする。
【手続補正１０】
【補正対象書類名】明細書
【補正対象項目名】００１１
【補正方法】変更
【補正の内容】
【００１１】
請求項３に記載の本発明は、請求項１に記載の発明の構成に加えて、前記記録媒体管理コンピュータは、前記持出時送信処理により送信した有価価値が転送済みであることを特定可能な情報を前記第２の有価価値分類格納手段に格納し、
前記遊技場統括管理コンピュータは、前記持込時送信処理により送信した有価価値が転送済みであることを特定可能な情報を前記第１の有価価値分類格納手段に格納することを特徴とする。
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】変更
【補正の内容】
【００１４】
【作用】
請求項１に記載の本発明によれば、複数の遊技場を統括して管理する遊技場統括管理コンピュータの働きにより、第１の有価価値分類格納手段において、記録媒体を個々に識別するための記録媒体識別情報と遊技に使用可能な有価価値を特定可能な情報とが記録された記録媒体の前記記録媒体識別情報毎に前記有価価値が分類されて格納される。各遊技場に設置される記録媒体管理コンピュータの働きにより、第２の有価価値分類格納手段にて、前記記録媒体の前記記録媒体識別情報毎に前記有価価値が分類されて格納される。各遊技場に設置される第１の記録媒体処理装置の働きにより、前記記録媒体の記録情報から特定される有価価値を遊技に使用させるための処理が行なわれる。各遊技場に設置される第２の記録媒体処理装置の働きにより、該遊技場に持ち込まれた記録媒体および該遊技場から持ち出される記録媒体が処理される。前記遊技場に持ち込まれた記録媒体が前記第２の記録媒体処理装置にて受け付けられたことに基づいて、照合判別手段の働きにより、該記録媒体の記録情報から特定される有価価値と、該記録媒体の記録媒体識別情報に対応付けて前記第１の有価価値格納手段に格納されている有価価値とが照合され、当該記録媒体が適正なものであるか否かが判別される。前記記録媒体管理コンピュータの働きにより、前記遊技場から持ち出される記録媒体が前記第２の記録媒体処理装置にて受け付けられたことに基づいて、当該記録媒体の記録媒体識別情報に対応付けて前記第２の有価価値分類格納手段に格納している有価価値を前記遊技場統括管理コンピュータに送信するための持出時送信処理が行なわれる。前記遊技場統括管理コンピュータの働きにより、前記持出時送信処理により送信された有価価値を前記記録媒体の記録媒体識別情報に対応付けて前記第１の有価価値分類格納手段に格納する持出時格納処理が行なわれる。さらに、前記遊技場統括管理コンピュータの働きにより、前記遊技場に持ち込まれた記録媒体が前記第２の記録媒体処理装置にて受け付けられたことに基づいて、当該記録媒体の記録媒体識別情報に対応付けて前記第１の有価価値分類格納手段に格納している有価価値を前記記録媒体管理コンピュータに送信するための持込時送信処理が行なわれる。前記記録媒体管理コンピュータの働きにより、前記照合判別手段により前記記録媒体が適正であると判定されたことを条件として、前記持込時送信処理により送信された有価価値を前記記録媒体の記録媒体識別情報に対応付けて前記第２の有価価値分類格納手段に格納する持込時格納処理が行なわれる。さらに、該持込時格納処理により格納されてから前記持出時送信処理により送信されるまでの間に、前記第１の記録媒体処理装置により遊技に使用された有価価値が前記第２の有価価値分類格納手段に格納している有価価値から減算更新される。
【手続補正１４】
【補正対象書類名】明細書
【補正対象項目名】００１５
【補正方法】変更
【補正の内容】
【００１５】
請求項２に記載の本発明によれば、請求項１記載の発明の作用に加えて、前記記録媒体管理コンピュータの働きにより、前記持出時送信処理により送信した有価価値が前記第２の有価価値分類格納手段から消去される。前記遊技場統括管理コンピュータの働きにより、前記持込時送信処理により送信された有価価値が前記第１の有価価値分類格納手段から消去される。
【手続補正１５】
【補正対象書類名】明細書
【補正対象項目名】００１６
【補正方法】変更
【補正の内容】
【００１６】
請求項３に記載の本発明によれば、請求項１記載の発明の作用に加えて、前記記録媒体管理コンピュータの働きにより、前記持出時送信処理により送信した有価価値が転送済みであることを特定可能な情報が前記第２の有価価値分類格納手段に格納される。前記遊技場統括管理コンピュータの働きにより、前記持込時送信処理により送信した有価価値が転送済みであることを特定可能な情報が前記第１の有価価値分類格納手段に格納される。
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】０１８３
【補正方法】削除
【補正の内容】
【手続補正１９】
【補正対象書類名】明細書
【補正対象項目名】０１８４
【補正方法】削除
【補正の内容】
【手続補正２０】
【補正対象書類名】明細書
【補正対象項目名】０１８５
【補正方法】削除
【補正の内容】
【手続補正２１】
【補正対象書類名】明細書
【補正対象項目名】０１８６
【補正方法】削除
【補正の内容】
【手続補正２２】
【補正対象書類名】明細書
【補正対象項目名】０１８７
【補正方法】変更
【補正の内容】
【０１８７】
【課題を解決するための手段の具体例の効果】
請求項１に関しては、照合判別手段による照合判別の結果不正行為が判別可能となり不正行為を極力防止できるとともに、その照合判別手段による照合判別が、他の遊技場から記録媒体が持ち込まれる際に実行されるために、遊技者が実際に第１の記録媒体処理装置を介して遊技機による遊技を行なわんとする以前という早い段階で既に前記照合判別が行なわれ、実際に遊技を行なわんとする段階になっている遊技者を待たしてその遊技者が苛立ち感を覚えることを極力防止することができる。
【手続補正２３】
【補正対象書類名】明細書
【補正対象項目名】０１８８
【補正方法】削除
【補正の内容】
【手続補正２４】
【補正対象書類名】明細書
【補正対象項目名】０１８９
【補正方法】削除
【補正の内容】
【手続補正２５】
【補正対象書類名】明細書
【補正対象項目名】０１９０
【補正方法】変更
【補正の内容】
【０１９０】
請求項２に関しては、請求項１に関する効果に加えて、記録媒体管理コンピュータは、持出時送信処理により送信した有価価値を第２の有価価値分類格納手段から消去し、遊技場統括管理コンピュータは、持込時送信処理により送信した有価価値を第１の有価価値分類格納手段から消去するために、両有価価値分類格納手段にともに同じ格納情報が存在するという無駄を極力防止することができる。
【手続補正２６】
【補正対象書類名】明細書
【補正対象項目名】０１９１
【補正方法】変更
【補正の内容】
【０１９１】
請求項３に関しては、請求項１に関する効果に加えて、記録媒体管理コンピュータは、持出時送信処理により送信した有価価値が転送済みであることを特定可能な情報を第２の有価価値分類格納手段に格納し、遊技場統括管理コンピュータは、持込時送信処理により送信した有価価値が転送済みであることを特定可能な情報を第１の有価価値分類格納手段に格納するために、情報のバックアップが可能となる。